(57)【要約】      （修正有）【課題】体の不自由な入浴者の脚を持ち上げた状態で固定できる脚部回動構造を有する入浴用車椅子を提供する。【解決手段】脚部回動構造４３は、レバー４５と、リンク５２ａ１、５２ｂ１と、略三角形型回動部品５６と、略への字型回動部品５５を有している。略三角形型回動部品５６と略への字型回動部品５５とは、それぞれの回動軸５１ｄ、５１ｃが異なり、互いに当接して回動する。レバー４５は、回動可能な状態でリンク５２ａ１に固定されており、略三角形型回動部品５６は、回動可能な状態でリンク５２ｂ１に固定されており、レバー４５を押し下げることによって、リンク５２ａ１、５２ｂ１と、略三角形型回動部品５６と、略への字型回動部品５５をそれぞれ移動または回動させて、脚部を持ち上げる。【選択図】図４
0003213846.tif 000002
【実用新案登録請求の範囲】
【請求項１】
開閉式扉を有する浴槽に使用し、台車部と椅子部が分離したり、合体したりできる入浴用車椅子において、
前記椅子部は、
フレーム部と、該フレーム部に固定され、入浴者が座ることのできる背凭部と、座部と、脚部と、該脚部を持ち上げることができる脚部回動構造を有しており、
該脚部回動構造は、
レバーと、複数のリンクと、第一の回動部品と、第二の回動部品とを有するものであり、
前記第一の回動部品と前記第二の回動部品とは、それぞれの回動軸が異なり、互いに当接して回動するものであり、
前記レバーは、回動可能な状態で前記複数のリンクの一つに固定されており、
前記第一の回動部品は、前記複数のリンクの他の一つに固定されており、
前記レバーを押し下げることによって、前記複数のリンクと、前記第一の回動部品と、前記第二の回動部品をそれぞれ移動または回動させて、前記脚部を持ち上げることができるものである
ことを特徴とする入浴用車椅子。
【請求項２】
前記第一の回動部品は略三角形型回動部品であり、前記第二の回動部品は略への字型回動部品である
ことを特徴とする請求項１に記載の入浴用車椅子。
【請求項３】
前記略三角形型回動部品には、前記略への字型回動部品と当接するための回転可能なローラが固定されている
ことを特徴とする請求項２に記載の入浴用車椅子。
【請求項４】
前記略への字型回動部品には、前記脚部を持ち上げるための回転可能なローラが固定されている
ことを特徴とする請求項２に記載の入浴用車椅子。
【請求項５】
前記略三角形型回動部品に固定されている前記ローラ、及び、前記略への字型回動部品に固定されている前記ローラは、それぞれの径を変えることができるものである
ことを特徴とする請求項３又は請求項４に記載の入浴用車椅子。
【考案の詳細な説明】
【技術分野】
【０００１】
本考案は、身体障害者や養護老人等の体の不自由な人の入浴時に使用される椅子部と台車部が分離できる構造をした入浴用車椅子に関するものである。
【背景技術】
【０００２】
日々の入浴作業は、身体障害者や養護老人等の体の不自由な人（以下において、入浴者という。）にとっても、その介護人にとっても苦痛であり、煩わしく大変な作業となっている。
【０００３】
従来より、体の不自由な人の移動手段として車椅子が使用されており、小型のクレーンを用いてその車椅子ごと吊り上げて浴槽内に運び入れて入浴する方法が用いられている。
【０００４】
しかしながら、この小型のクレーンを用いる方法は、入浴者に吊り上げられるという恐怖感や不安感を与えるだけでなく、吊り上げ時にバランスをくずして転倒する危険性や、車椅子の車輪についたゴミなどを浴槽内に持ち込む可能性があるので衛生的にも問題がある。
【０００５】
そこで、小型のクレーンに替えて、産業用として利用されているフォークリフトを改造したもの用いて、そのフォークの部分で入浴者が座っている椅子ごと持ち上げて浴槽内などに移動させる発明が特許文献１において開示されている。
【０００６】
また、開閉する扉の付いた浴槽を用いるとともに、椅子部と台車部とが分離したり、合体したりできる構造をした入浴用車椅子を用いて、椅子部のみを浴槽内に移動させて入浴する発明が特許文献２及び特許文献３において開示されている。
【０００７】
これらの開閉する扉の付いた浴槽と、椅子部と台車部とが分離したり、合体したりできる構造をした入浴用車椅子を用いると、入浴者は椅子部に座ったままの状態で入浴できるので、吊り上げられるという恐怖感や不安感、吊り上げ時に転倒するという危険性がなく、安心して入浴をすることができる。また、これらの開閉する扉の付いた浴槽と入浴用車椅子を用いると、介護人にとっても負担が少ないことや、台車部の車輪に付着したゴミなどを浴槽内に持ち込む可能性も排除できるので衛生的にも優れている。
【先行技術文献】
【特許文献】
【０００８】
【特許文献１】特開２０１５−２４０７８号公報
【特許文献２】特開平１０−１５１１６７号公報
【特許文献３】特開２００１−１８７１００号公報
【考案の概要】
【考案が解決しようとする課題】
【０００９】
しかしながら、上述した特許文献１に記載されているフォークリフトを改造したものは、入浴者の背後からフォークの部分で入浴者が座っている椅子ごと持ち上げるものである。したがって、入浴者に依然として恐怖感等を与えたり、吊り上げ時にバランスをくずして椅子ごと転倒したりする危険性を有している。
【００１０】
また、特許文献２及び特許文献３において開示されている入浴用車椅子の椅子部は、介護者の労力を低減する目的で、椅子部の底面に車輪またはローラが付いており、浴槽内の入口側から奥側までの浴槽底面部を、その車輪またはローラを回転させながら移動するものである。
【００１１】
したがって、入浴中にもその車輪等により椅子部が動きやすく、入浴者や介護者に違和感を与えたり、車輪等の可動部に入浴者の指を挟まれたりする危険性があり、入浴作業がしにくいという問題点がある。
【００１２】
加えて、入浴用車椅子の椅子部と台車部とが分離及び合体するための構造に加えて、浴槽内の底面部分を移動する車輪やローラなどの回転部分が必要になる。したがって、車椅子全体として極めて複雑な構造となっており、当然に部品点数も多くなり、壊れやすく、さらにはコスト高になるという問題点がある。
【００１３】
本考案は、上記した問題点の除去を目的としており、身体障害者や養護老人等の体の不自由な入浴者及び介護人にとって恐怖感や不安感などを与えることがなく、衛生的にも優れており、壊れにくく、低コストで製造できる入浴用車椅子の提供を目的としている。
【課題を解決するための手段】
【００１４】
本考案は、椅子部と台車部が分離したり、合体したりできる構造をした入浴用車椅子を提供するものである。
【００１５】
請求項１に記載した考案は、開閉式扉を有する浴槽に使用し、台車部と椅子部が分離したり、合体したりできる入浴用車椅子において、
前記椅子部は、
フレーム部と、該フレーム部に固定され、入浴者が座ることのできる背凭部と、座部と、脚部と、該脚部を持ち上げることができる脚部回動構造を有しており、
該脚部回動構造は、
レバーと、複数のリンクと、第一の回動部品と、第二の回動部品とを有するものであり、
前記第一の回動部品と前記第二の回動部品とは、それぞれの回動軸が異なり、互いに当接して回動するものであり、
前記レバーは、回動可能な状態で前記複数のリンクの一つに固定されており、
前記第一の回動部品は、前記複数のリンクの他の一つに固定されており、
前記レバーを押し下げることによって、前記複数のリンクと、前記第一の回動部品と、前記第二の回動部品をそれぞれ移動または回動させて、前記脚部を持ち上げることができるものである
ことを特徴とする。
【００１６】
請求項１に記載した考案を用いると、介護者にとって、入浴時に体の不自由な入浴者の脚を持ち上げるという重労働な作業を低減することができる。
【００１７】
請求項２に記載した考案は、請求項１に記載の入浴用車椅子において、前記第一の回動部品は略三角形型回動部品であり、前記第二の回動部品は略への字型回動部品である
ことを特徴とする。
【００１８】
請求項２に記載した考案を用いると、レバーが押し下げていない状態において脚部を自重により下げた状態で保持することができる。
【００１９】
請求項３に記載した考案は、請求項２に記載の入浴用車椅子において、
前記略三角形型回動部品には、前記略への字型回動部品と当接するための回転可能なローラが固定されている
ことを特徴とする。
【００２０】
請求項３に記載した考案を用いると、第二の回動部品である略への字型回動部品と略三角形型回動部品のローラが当接するので、略への字型回動部品をスムーズに持ち上げることができる。
【００２１】
請求項４に記載の考案は、請求項２に記載の入浴用車椅子において、
前記略への字型回動部品には、前記脚部を持ち上げるための回転可能なローラが固定されている
ことを特徴としている。
【００２２】
請求項４に記載した考案を用いると、脚部と略への字型回動部品のローラが当接するので、脚部をスムーズに持ち上げることができる。
【００２３】
請求項５に記載の考案は、請求項３又は請求項４に記載の入浴用車椅子において、
前記略三角形型回動部品に固定されている前記ローラ、及び、前記略への字型回動部品に固定されている前記ローラは、それぞれの径を変えることができるものであることを特徴としている。
【００２４】
請求項５に記載した考案を用いると、入浴者の体型や好みに応じて、脚部の持ち上げ高さやその角度等を容易に変更することができる。
【考案の効果】
【００２５】
本考案に係わる入浴用車椅子は、クレーンやフォークリフトなどを用いて車椅子ごと吊上げる構造のものではないので、入浴者に恐怖感や不安感などを与えることがなく、浴槽内の温水を汚すこともない。
【００２６】
また、本考案に係わる入浴用車椅子は、比較的簡単な構造をしているので、壊れにくく、使いやすく、低コストで製造することができる。
【図面の簡単な説明】
【００２７】
【図１】入浴用車椅子の全体図である。
【図２】入浴用車椅子の台車部である。
【００２８】
（ａ）台車部の全体図である。
【００２９】
（ｂ）ペダルを踏み込む前の要部説明図である。
【００３０】
（ｃ）ペダルを踏み込んで椅子搭載フレームを上昇させた後の要部説明図である。
【図３】入浴用車椅子の椅子部の特徴部分である。
【００３１】
（ａ）椅子部を台車部の椅子搭載フレームに搭載した状態図である。
【００３２】
（ｂ）椅子部の背面斜視図である。
【図４】椅子部の脚部回動構造の説明図である。
【００３３】
（ａ）椅子部の脚部が下げられている状態図である。
【００３４】
（ｂ）椅子部の脚部が持ち上げられている状態図である。
【図５】使用状態を示す説明図である。
【００３５】
（ａ）入浴者の脚が下げられている状態の概略図である。
【００３６】
（ｂ）入浴者の脚が持ち上げられている状態の概略図ある。
【００３７】
（ｃ）入浴者が開閉式扉を有する浴槽に入った状態図である。
【００３８】
（ｄ）浴槽の開閉式扉を閉めた状態図である。
【考案を実施するための形態】
【００３９】
以下において、開閉式扉を有する浴槽に使用し、台車部５と椅子部３とが分離したり、合体したりできる構造をした本考案に係わる入浴用車椅子１の一実施例について詳細に説明する（図１〜図５）。
１．入浴用車椅子
本考案に関わる入浴用車椅子１の全体図を図１に示す。この入浴用車椅子１は、入浴者７１が腰をかけるための椅子部３と、車椅子として移動を容易にするための車輪１７ａ〜ｅの付いた台車部５とで構成されており、それぞれが分離したり、合体したりできるものである。なお、入浴者が腰をかけた状態で移動をする際には、図示されていない取り外しが可能なピンなどによって椅子部３と台車部５とはしっかりと固定されており、容易に分離できないようになっている。
２．台車部
＜台車部の概要＞
本考案に関わる入浴用車椅子１の台車部５の詳細な構造を図２に示す。台車部５は、主に、金属製のパイプを折り曲げて製造されており、椅子部３が搭載される椅子搭載フレーム１３と、台車用ハンドル１５及び計５個の車輪１７ａ〜ｅなどが固着されている側面視で略Ｌ字型をしたベースフレーム１１を有している（図２（ａ））。
【００４０】
椅子搭載フレーム１３とベースフレーム１１との間には、それぞれが離間するように隙間空間部１２が形成されており、後述するようにこの隙間空間部１２を開閉式扉７５の付いた浴槽底面部７７に差し込むことができる寸法形状になっている（図２（ａ））。したがって、台車部５の椅子搭載フレーム１３やベースフレーム１１が浴槽底面部７７に接触するようなことはない。
＜台車部の詳細な構造＞
ベースフレーム１１は、本実施例では側面視略Ｌ字型をしており、前方に突出する略水平部分と、略鉛直部分を有するものである（図２）。図２（ａ）において、介護者は、ベースフレーム１１の略鉛直部分に設置されている台車用ハンドル１５を操作し、最前部の車輪１７ａを回動させることによって左右自在に舵をとることができる。なお、ベースフレーム１１の略水平部分中央に設置されている左右一対の車輪１７ｂ（なお、図２（ａ）では、手前側の大きな車輪１７ｂのみを明示した。）を設けることによって、台車部５の横ズレ移動を防止することができる。
【００４１】
椅子搭載フレーム１３は、前方略水平方向に突出し、浴槽７３の浴槽底面部７７の上面よりも高い位置に存在し、上昇させたり、もとの位置まで下降させたりできるものである（図２、図５）。すなわち、ペダル１９を踏み込むことによって、ペダル回動軸７を回動支点とし、４枚のリンク板２５ａ〜ｄを回動させ（なお、手前側のリンク板２５ａ、ｂのみを明示した（図２（ｂ）（ｃ）。）、椅子搭載フレーム１３を上方向に２〜３ｃｍ程度上昇させることができる。
【００４２】
このペダル１９やペダル回動軸７の部分は、てこの原理が用いられている（図２（ｃ）、図５（ａ）（ｂ））。したがって、介護者は少ない労力で椅子部３に腰かけている入浴者７１を上昇させることができる。
【００４３】
このペダル１９は、踏みこんだ状態でロックされ（図２（ｃ））、ロック解除ピン２１を踏むことによってロックが解除され、椅子搭載フレーム１３をその自重と引張方向のコイルバネ２７によって、もとの位置（上昇する前の位置）であるベースフレーム１１に設置した固定台１４に当接するまで下降させることができる。なお、荷台を上昇させた状態でロックする構造や、ロックを解除する構造は、台車関係においては周知の技術なので詳細な説明は省略する。
【００４４】
本考案に係わる台車部５は、後述するように、椅子搭載フレーム１３とベースフレーム１１を離間させて、それぞれの間の隙間空間部１２（図２（ａ））に浴槽７３の浴槽底面部７７を差し込むことが可能な寸法にした。
【００４５】
すなわち、ペダルを踏み込んで椅子搭載フレーム１３を上昇させる前において（図２（ｂ））、椅子搭載フレーム１３の最下部の高さを、浴槽底面部７７の上面よりも高い位置に存在するようにするとともに、ベースフレーム１１の最上部の高さを浴槽底面部７７の下面よりも低い位置に存在するようにした。
【００４６】
さらに、ペダル１９を踏み込んで、椅子搭載フレーム１３を略鉛直上方向に上昇させた状態において、椅子搭載フレーム１３に搭載されている椅子部３の最下面（本実施例では、フレーム部４１ｂ）が、浴槽底面部７７の上面よりも高い位置になるようにした。その結果、椅子部３は、台車部５の椅子搭載フレーム１３に搭載されたたままの状態で、開閉する扉の付いた浴槽７３の入口側から奥側までスムーズに運び入れられたり、引出されたりすることができる（図５（ｂ）（ｃ））。
【００４７】
側面視略Ｌ字型をしたベースフレーム１１の略鉛直部分と、椅子搭載フレーム１３との間には、引張方向に作用するバネ、例えばコイルバネ２７と、例えばオイルを利用した一対のダンパー２９ａ，ｂを設置した。このコイルバネ２７と一対のダンパー２９ａ，ｂによって、ロック解除時に椅子搭載フレーム１３を、ゆっくりと略鉛直下方向に下降させることができる。このようにして椅子部３をゆっくりと下降することができるので、入浴者７１に不安感や不快感などを与えることもない。
【００４８】
なお、上述した実施例では、ベースフレーム１１や椅子搭載フレーム１３などに折曲加工が容易な金属製パイプを主に用いているが、断面が略Ｌ字型の金属製棒材や、断面が略コの字型の金属製棒材などを使用することもできる。
３．椅子部
＜全体構造＞
椅子部３の構造について図３及び図４を用いて詳細に説明する。この椅子部３は、後述するように、台車部５と分離した後に、体の不自由な入浴者７１の脚を持ち上げた状態で開閉式扉７５を有する浴槽７３内に運び入れられるようにしたものである（図５）。
【００４９】
椅子部３は、入浴者７１が楽に座ることができるように背凭部３１、座部３３、脚部３５及び肘掛部３７を有している。座部３３には、入浴者７１のお尻を洗浄するための孔部３９が形成されている。
【００５０】
背凭部３１、座部３３、脚部３５は、図示されていないピンによって、フレーム部４１ａ，ｂに取り外しが可能な状態で固定されている。したがって、背凭部３１、座部３３、脚部３５を容易に取り外して洗浄等の作業をすることができる（図３（ａ）、（ｂ））。
【００５１】
ここで、主に金属パイプを折曲げて形成した台車部５の椅子搭載フレーム１３の直径を、椅子部３の下方のフレーム部４１ｂの高さ方向の寸法よりも小さくなるようにした。すなわち、浴槽底面部７７に椅子部３を下ろした状態では、椅子搭載フレーム１３の底面が浴槽底面部７７に当接して載置され、台車部５の椅子搭載フレーム１３は、浴槽底面部７７の上面にも椅子部３にも接触しておらず、宙に浮いている状態にした。
【００５２】
この状態において、座部３３の下方底面と浴槽底面部７７との間に隙間ができており、その隙間の部分に椅子搭載フレーム１３が入り込めるような寸法にした。したがって、後述するように、椅子部３を浴槽７３の浴槽底面部７７に降ろした後、台車部５の椅子搭載フレーム１３を楽に引抜き、又は差込み等の作業をすることができる。
【００５３】
本実施例では、背凭部３１、座部３３、脚部３５及び肘掛部３７などは木製のものであり、具体的には入浴者７１に対してリラックス効果があると言われている檜材を使用した。また、背凭部３１、座部３３、脚部３５は、多数枚の木板材を金属製の針金、例えば、腐食しにくいステンレス製の針金で繋ぎあわせて一体化して作製した（図３（ａ）、（ｂ））。
【００５４】
すなわち、多数枚の木板材を用いている背凭部３１、座部３３、脚部３５は、フレーム部４１ａ，ｂの形状や後述する脚部回動構造４３の形状などに応じて自由に変形できるようにした。なお、多数枚の木板材を用いる背凭部３１、座部３３、脚部３５に替えて、自由に変形が可能であり、一体化されている樹脂材料製品などを用いることもできる。
＜脚部回動構造＞
介護者にとって、入浴時に体の不自由な入浴者７１の脚を持ち上げるという作業は極めて重労働な作業となっている。そこで、本考案に係る体の不自由な入浴者７１の脚を、持ち上げられた状態で固定できる左右一対の脚部回動構造４３の一実施例について詳細に説明する（図４）。この脚部回動構造４３は、上述したフレーム部４１ａ，ｂにビスなどによって固着又は一部が固定されており、レバー４５を押し下げることによって、脚部３５を持ち上げることができるようにしたものである（図３（ｂ）、図４）。
【００５５】
この脚部回動構造４３は、回動軸５１ａを中心軸として回動可能なレバー４５と、レバー４５に回動可能な状態で固定されているリンク５２ａ１を有している（図４）。回動軸５１ｂを中心軸として、回動可能な倒Ｌ字型回動部品５３と、前記したリンク５２ａ１、及び、リンク５２ｂ１とは回動可能な状態で固定されている。
【００５６】
第一の回動部品と前記第二の回動部品とは、それぞれの回動軸が異なり、互いに当接して回動するものである。本実施例では第一の回動部品として回動軸５１ｄを中心軸として回動可能な略三角形型回動部品５６とし、第二の回動部品として回動軸５１ｃを中心軸として回動可能な略への字型回動部品５５とした。
【００５７】
図４（ａ）の椅子部３の脚部３５が下げられている状態において、第一の回動部品である略三角形型回動部品５６の三つの角のうちで、上方の頂点付近はリンク５２ｂ１と回動可能な状態で固定されており、底辺部分の左側角付近には回動軸５１ｄがあり、底辺部分の右側角付近には、第二の回動部品である略への字型回動部品５５と当接してスムーズに持ち上げることができる回転可能なローラ５９ａが固定されている。このような配置構造をとることによって、レバー４５押し下げていない状態では、脚部３５を自重により下げた状態のまま保持することができる。
【００５８】
また、第二の回動部品である略への字型回動部品５５には、脚部３５に当接してスムーズに持ち上げることができるローラ５９ｂ、ｃが回転可能な状態で固定されている（図４（ａ））。
【００５９】
そして、レバー４５を押し下げることによって（図４（ａ））、リンク５２ａ１、倒Ｌ字型回動部品５３、リンク５２ｂ１、略三角形型回動部品５６がそれぞれ移動または回動し、ローラ５９ａが上方に回動する。その結果、略三角形型回動部品５６のローラ５９ａと当接する略への字型回動部品５５が上方に回動し、略への字型回動部品５５に固定されている回転可能なローラ５９ｂ、ｃを介して脚部３５を上方に持ち上げることができる（図４（ｂ））。
【００６０】
すなわち、台車部５に椅子部３を搭載した合体状態において、脚部３５の高さを浴槽底面部７７よりも高い位置にまで持ち上げることができるようにした。したがって、介護者にとって入浴時に体の不自由な入浴者の脚を持ち上げるという重労働な作業を除去することができる。
【００６１】
なお、本実施例では、略への字型回動部品５５に２個のローラ５９ｂ、ｃを用いているが、ローラの数は適宜増減することが可能である。また、略三角形型回動部品５６及び略への字型回動部品５５に固定されているローラ５９ａ、ｂ、ｃは、それぞれの径を変えることによって脚部３５の持ち上げ高さやその角度を調整することができる。すなわち、入浴者７１の体型や好みに応じて、脚部３５の持ち上げ高さやその角度等を容易に変更することができる。なお、本実施例ではレバー４５の上げ下げを手動で行っているが、モータ等の動力を用いて自動化することもできる。
４．入浴用車椅子の使用方法
本考案に関わる入浴用車椅子１の使用方法について説明する（図５）。例えば、足が不自由な入浴者７１は、車輪１７ａ〜ｅの付いた入浴用車椅子１に乗って浴槽７３の近くまで移動することができる（図５（ａ））。
【００６２】
図示されていない介護者は、台車部５のペダル１９を踏み込んで椅子搭載フレーム１３を上昇させた状態で固定し（図２（ｃ）、図５（ｂ））、椅子部３のレバー４５を押し下げて脚部３５を浴槽底面部７７の上面よりも高い位置まで持ち上げる（図４（ｂ）、図５（ｂ））。
【００６３】
介護者は、入浴用車椅子１の椅子部３を、浴槽７３の入口側から奥側まで押していく。この際において、前述したように台車部５の椅子搭載フレーム１３とベースフレーム１１の隙間空間部１２に浴槽７３の浴槽底面部７７が差し込み可能にした。すなわち、椅子部３は、台車部５に載せられたままの状態で浴槽７３の入口側から奥側までスムーズに運び入れることができる（図５（ｂ）、（ｃ））。
【００６４】
介護者は、ペダル１９のロック解除ピン２１を押すことによって、椅子搭載フレーム１３を下げて、椅子部３と台車部５とを分離することができる（図２（ｂ））。この際において、上述したように椅子部３（椅子搭載フレーム１３）の上下方向の移動距離が数ｃｍ程度であることや、コイルバネ２７とダンパー２９ａ，ｂとによって、入浴者に不快感や不安感などを与えない程度に、椅子部３をゆっくりと下降させることができる（図２（ａ）、（ｂ）、図５（ｃ））。
【００６５】
ここで、上述したように主にパイプを曲げて形成した椅子搭載フレーム１３の直径を、椅子部３の下方のフレーム部４１ｂの高さ方向の寸法よりも小さくなるようにしている。また、椅子搭載フレーム１３は、椅子部３にも浴槽底面部７７の上面にも当接しておらず、宙に浮いている状態になっている。したがって、椅子部３を浴槽７３の浴槽底面部７７に降ろした後、台車部５を楽に引き抜くことができ、椅子部３と台車部５が分離される（図５（ｃ））。
【００６６】
介護者は、浴槽７３の開閉式扉７５を閉め（図５（ｄ））、図示されていないホースなどを用いて貯湯タンクなどから温水を浴槽７３に供給し、入浴者７１の入浴が行われる。退浴をする場合には、浴槽７３から温水を抜いた後、開閉式扉７５を開き、上述した逆の手順で行われて椅子部３と台車部５が再び合体される。
【００６７】
上述したように、本考案に係わる入浴用車椅子１は、車輪の付いた車椅子のままで入浴するようなものではない。したがって、浴槽内の温水を汚したり、それによる入浴者に不安感や不快感を与えたりすることがない。
【００６８】
加えて、本考案に係わる入浴用車椅子は、複雑な制御装置を用いておらず、小型・軽量で使いやすく、また比較的簡単な構造をしているので壊れにくく、低コストで製造することができる。
【産業上の利用可能性】
【００６９】
本考案は、身体障害者や養護老人等の体の不自由な人が、開閉式扉を有する浴槽を使用する際の入浴用車椅子として利用することができる。
【符号の説明】
【００７０】
１  入浴用車椅子
３  椅子部
５  台車部
７  ペダル回動軸
１１  ベースフレーム
１２  隙間空間部
１３  椅子搭載フレーム
１４  固定台
１５  台車用ハンドル
１７ａ〜ｅ  車輪
１９  ペダル
２１  ロック解除ピン
２５ａ〜ｅ  リンク板
２７  コイルバネ
２９ａ，ｂ  ダンパー
３１  背凭部
３３  座部
３５  脚部
３７  肘掛部
３９  孔部
４１ａ，ｂ  フレーム部
４３  脚部回動構造
４５  レバー
５１ａ〜ｄ  回動軸
５２ａ１，ａ２、ｂ１、ｂ２  リンク
５３  倒Ｌ字型回動部品
５５  略への字型回動部品
５６  略三角形型回動部品
５９ａ〜ｃ  ローラ
７１  入浴者
７３  浴槽
７５  開閉式扉
７７  浴槽底面部
【図１】
0003213846.tif 000003
【図２】
0003213846.tif 000004
【図３】
0003213846.tif 000005
【図４】
0003213846.tif 000006
【図５】
0003213846.tif 000007